(57)【要約】【課題】ＩＣ回路部の保護機能を低減することなくタグラベルの屈曲性を向上し、ユーザがタグラベルを貼り付け対象物に貼り付けるときの利便性を向上する。【解決手段】無線タグＩＣ回路保持体Ｈは、タグ情報を記憶するＩＣ回路部１５１と、このＩＣ回路部１５１を略覆うように配設され、少なくともＩＣ回路部１５１の近傍に屈曲性を高くするための幅狭部２００を備えた保護フィルム１６０とを有し、無線タグラベルＴを作成するための印字済みタグラベル用テープ１１０に設けられる。【選択図】  図７
2005338994.tif 000002
【特許請求の範囲】
【請求項１】
タグ情報を記憶するＩＣ回路部と、
このＩＣ回路部を保持する保持部材とからなるタグ用ＩＣ回路保持体であって、
前記保持部材に、少なくとも前記ＩＣ回路部の近傍に屈曲性を高くするための低剛性部を設けたことを特徴とする無線タグＩＣ回路保持体。
【請求項２】
請求項１記載の無線タグＩＣ回路保持体において、
情報の送受信を行うアンテナと、
前記ＩＣ回路部と前記アンテナとをそれぞれ接続するために設けられる接続端子とを有し、
タグラベルを作成するために用いられることを特徴とする無線タグＩＣ回路保持体。
【請求項３】
請求項１又は２記載の無線タグＩＣ回路保持体において、
前記タグラベルを作成するためのタグラベル用テープに設けられることを特徴とする無線タグＩＣ回路保持体。
【請求項４】
請求項２又は３記載の無線タグＩＣ回路保持体において、
前記保持部材を介し一体化された前記ＩＣ回路部及び前記接続端子は、前記アンテナよりも大きな剛性を備えることを特徴とする無線タグＩＣ回路保持体。
【請求項５】
請求項１乃至４のいずれか１項記載の無線タグＩＣ回路保持体において、
前記低剛性部は、前記保持部材のうちラベル用テープの長手方向と直交する幅方向における寸法が小さくなった幅狭部を備えることを特徴とする無線タグＩＣ回路保持体。
【請求項６】
請求項５記載の無線タグＩＣ回路保持体において、
前記幅狭部は、前記保持部材の端部より前記幅方向に切り込まれるように設けた凹状部により形成されることを特徴とする無線タグＩＣ回路保持体。
【請求項７】
請求項５記載の無線タグＩＣ回路保持体において、
前記幅狭部は、前記保持部材の前記幅方向寸法が、ラベル用テープの長手方向に沿って連続的に小さくなっていることを特徴とする無線タグＩＣ回路保持体。
【請求項８】
請求項１乃至４のいずれか１項記載の無線タグＩＣ回路保持体において、
前記低剛性部は、前記保持部材のうちラベル用テープの厚さ方向における寸法が小さくなった薄肉部を備えることを特徴とする無線タグＩＣ回路保持体。
【請求項９】
請求項８記載の無線タグＩＣ回路保持体において、
前記薄肉部は、前記保持部材の端部より前記厚さ方向に切り込まれるように設けた凹状部により形成されることを特徴とする無線タグＩＣ回路保持体。
【請求項１０】
請求項１乃至９のいずれか１項記載の無線タグＩＣ回路保持体において、
前記低剛性部は、前記保持部材の厚さ方向に形成された複数の貫通孔を備えることを特徴とする無線タグＩＣ回路保持体。
【請求項１１】
タグ情報を記憶するＩＣ回路部と；少なくとも前記ＩＣ回路部の近傍に屈曲性を高くするための低剛性部を備えた保持部材と；を有する無線タグＩＣ回路保持体が複数個配置されたタグテープを巻回して構成された、タグテープロールを有し、
このタグテープロールから繰り出した前記タグテープに基づいてタグラベルを作成するタグラベル作成装置に着脱可能に取り付けられることを特徴とするタグラベル作成装置用カートリッジ。
【発明の詳細な説明】
【技術分野】
【０００１】
本発明は、外部と情報の無線通信が可能な無線タグをテープ状に連続的に作成するタグラベル作成装置に係わり、特に、そのタグラベル作成装置に備えられる無線タグＩＣ回路保持体及びこれを用いたタグラベル作成装置用カートリッジに関する。
【背景技術】
【０００２】
小型の無線タグとリーダ（読み取り装置）／ライタ（書き込み装置）との間で非接触で情報の読み取り／書き込みを行うＲＦＩＤ（Ratio Frequency Identification）システムが知られている。例えばラベル状の無線タグに備えられた無線タグ回路素子は、所定の無線タグ情報を記憶するＩＣ回路部とこのＩＣ回路部に接続されて情報の送受信を行うアンテナとを備えており、無線タグが汚れている場合や見えない位置に配置されている場合であっても、リーダ／ライタ側よりＩＣ回路部の無線タグ情報に対してアクセス（情報の読み取り／書き込み）が可能であり、商品管理や検査工程等の様々な分野において実用が期待されている。
【０００３】
このような無線タグは、通常、ラベル状の素材上に無線タグ回路素子を設けて形成され、このタグラベルが対象物品に貼り付けられることが多い。このタグラベルの構成としては、例えば特許文献１に記載のものが知られている。この従来技術では、１つのＩＣ回路部（ＩＣラベル）の両側に２つのアンテナ（大面積アンテナ層）を設け、これら２つのアンテナをそれぞれ上記ＩＣ回路部に接続している。そして、これら２つのアンテナ及びＩＣ回路部からなる構造体を、紙やプラスチックフィルム等の基材上に実装している。
【０００４】
【特許文献１】特開２００３−１６８０９９号公報（段落番号０００８〜０００９、図１及び図２）
【発明の開示】
【発明が解決しようとする課題】
【０００５】
上記のように構成した無線タグラベルにおいて、上記従来技術には明確に記載されていないが、ＩＣ回路部を確実に保持し外部衝撃等より保護するため、さらには製造時の取扱い操作を容易にするために、ＩＣ回路部の近傍（例えばアンテナとの間の接続部分）を樹脂等よりなる保持部材（保護フィルム）で覆った構造とする場合がある。
【０００６】
しかしながらこの場合、保持部材がある程度の剛性（腰の強さ）を持つため、タグラベル全体として変形しにくくなって屈曲性が低減する傾向となる。この結果、例えば凹凸形状を備えた物品にユーザがタグラベルを貼り付けたい場合に、容易に貼り付けを行うことができず、利便性が低下していた。逆に貼り付け性を良好とするために保持部材をなくしたりあるいは薄くすると、ＩＣ回路部の保持や衝撃保護性が低下する可能性があった。
【０００７】
本発明の目的は、ＩＣ回路部の保護機能を低減することなくタグラベルの屈曲性を向上し、ユーザがタグラベルを貼り付け対象物に貼り付けるときの利便性を向上できる無線タグＩＣ回路保持体及びこれを用いたタグラベル作成装置用カートリッジを提供することにある。
【課題を解決するための手段】
【０００８】
上記目的を達成するために、第１の発明は、タグ情報を記憶するＩＣ回路部と、このＩＣ回路部を保持する保持部材とからなるタグ用ＩＣ回路保持体であって、前記保持部材に、少なくとも前記ＩＣ回路部の近傍に屈曲性を高くするための低剛性部を設けたことを特徴とする。
【０００９】
本願第１発明においては、ＩＣ回路部を保持する保持部材を配設することにより、ＩＣ回路部を外部衝撃等より保護することができる。また、この保持部材のうち少なくともＩＣ回路部近傍に低剛性部を設けることにより、最終的に作成したタグラベル全体の屈曲性を向上することができる。この結果、ＩＣ回路部の保護機能は維持しつつタグラベルの高い屈曲性を実現し、ユーザがタグラベルを貼り付け対象物に貼り付けるときの利便性を向上することができる。
【００１０】
第２の発明は、上記第１発明において、情報の送受信を行うアンテナと、前記ＩＣ回路部と前記アンテナとをそれぞれ接続するために設けられる接続端子とを有し、タグラベルを作成するために用いられることを特徴とする。
【００１１】
本願第２発明においては、アンテナとＩＣ回路部とを接続端子で接続しタグラベルを作成するために用いられるＩＣ回路保持体の構成において、保持部材でＩＣ回路部を確実に保持し外部衝撃等より保護することができる。
【００１２】
第３の発明は、上記第１又は第２発明において、前記タグラベルを作成するためのタグラベル用テープに設けられることを特徴とする。
【００１３】
本願第３発明においては、タグラベルを作成するためのタグラベル用テープにおいて、保持部材でＩＣ回路部を確実に保持し外部衝撃等より保護することができる。
【００１４】
第４の発明は、上記第２又は第３発明において、前記保持部材を介し一体化された前記ＩＣ回路部及び前記接続端子は、前記アンテナよりも大きな剛性を備えることを特徴とする。
【００１５】
これにより、剛性の大きなＩＣ回路部、接続端子、保持部材の結合体において、保持部材に低剛性部を設けることでこれら結合体全体としての屈曲性を向上することができる。
【００１６】
第５の発明は、上記第１乃至第４発明のいずれか１つにおいて、前記低剛性部は、前記保持部材のうちラベル用テープの長手方向と直交する幅方向における寸法が小さくなった幅狭部を備えることを特徴とする。
【００１７】
保持部材に幅方向寸法の小さな幅狭部を設けることにより、ＩＣ回路部近傍の剛性を相対的に小さくし、タグラベル全体の屈曲性を向上することができる。
【００１８】
第６の発明は、上記第５発明において、前記幅狭部は、前記保持部材の端部より前記幅方向に切り込まれるように設けた凹状部により形成されることを特徴とする。
【００１９】
凹状部を保持部材端部より幅方向に切り込んで設けることで、切り込み残された部分の幅方向寸法を小さくして、幅狭部を形成することができる。
【００２０】
第７の発明は、上記第５発明において、前記幅狭部は、前記保持部材の前記幅方向寸法が、ラベル用テープの長手方向に沿って連続的に小さくなっていることを特徴とする。
【００２１】
保持部材の幅方向寸法をテープ長手方向に沿って連続的に小さく、いわゆる略くさび状とすることにより、幅狭部を形成することができる。
【００２２】
第８の発明は、上記第１乃至第４発明のいずれか１つにおいて、前記低剛性部は、前記保持部材のうちラベル用テープの厚さ方向における寸法が小さくなった薄肉部を備えることを特徴とする。
【００２３】
保持部材にテープ厚さ方向寸法の小さな薄肉部を設けることにより、ＩＣ回路部近傍の剛性を相対的に小さくし、タグラベル全体の屈曲性を向上することができる。
【００２４】
第９の発明は、上記第８発明において、前記薄肉部は、前記保持部材の端部より前記厚さ方向に切り込まれるように設けた凹状部により形成されることを特徴とする。
【００２５】
凹状部を保持部材端部より厚さ方向に切り込んで設けることで、切り込み残された部分の厚さ方向寸法を小さくして、薄肉部を形成することができる。
【００２６】
第１０の発明は、上記第１乃至第９発明のいずれか１つにおいて、前記低剛性部は、前記保持部材の厚さ方向に形成された複数の貫通孔を備えることを特徴とする。
【００２７】
保持部材に複数の貫通孔を厚さ方向に形成することにより、ＩＣ回路部近傍の剛性を相対的に小さくし、タグラベル全体の屈曲性を向上することができる。
【００２８】
上記目的を達成するために、第１１の発明は、タグ情報を記憶するＩＣ回路部と；少なくとも前記ＩＣ回路部の近傍に屈曲性を高くするための低剛性部を備えた保持部材と；を有する無線タグＩＣ回路保持体が複数個配置されたタグテープを巻回して構成された、タグテープロールを有し、このタグテープロールから繰り出した前記タグテープに基づいてタグラベルを作成するタグラベル作成装置に着脱可能に取り付けられることを特徴とする。
【００２９】
本願第１１発明においては、タグラベル作成装置用カートリッジに設けたタグラベル用テープにおいて、ＩＣ回路部を保持する保持部材を配設することにより、ＩＣ回路部を外部衝撃等より保護することができる。また、この保持部材のうち少なくともＩＣ回路部近傍に低剛性部を設けることにより、最終的に作成したタグラベル全体の屈曲性を向上することができる。この結果、ＩＣ回路部の保護機能は維持しつつタグラベルの高い屈曲性を実現し、ユーザがタグラベルを貼り付け対象物に貼り付けるときの利便性を向上することができる。また、タグテープロールの巻径を小さくすることができる。
【発明の効果】
【００３０】
本発明によれば、ＩＣ回路部を略覆うように保持部材を配設し、保持部材のうち少なくともＩＣ回路部近傍に低剛性部を設けるので、ＩＣ回路部の保護機能を低減することなくタグラベルの屈曲性を向上し、ユーザがタグラベルを貼り付け対象物に貼り付けるときの利便性を向上することができる。
【発明を実施するための最良の形態】
【００３１】
以下、本発明の一実施の形態を図面を参照しつつ説明する。この実施形態は、本発明を無線タグラベルの生成システムに適用した場合の実施形態である。
【００３２】
図１は、本実施形態の無線タグＩＣ回路保持体及びタグラベル作成装置用カートリッジを備えるタグラベル作成装置が適用される無線タグ生成システムを表すシステム構成図である。
【００３３】
図１に示すこの無線タグ生成システム１において、タグラベル作成装置（無線タグ情報通信装置)２は、有線あるいは無線による通信回線３を介してルートサーバ４、端末５、汎用コンピュータ６、及び複数の情報サーバ７に接続されている。
【００３４】
図２は、上記タグラベル作成装置２の詳細構造を表す概念的構成図である。
【００３５】
図２において、タグラベル作成装置２の装置本体８には、凹所としてのカートリッジホルダ部（図示せず）が設けられ、このホルダ部にカートリッジ１００が着脱可能に取り付けられている。
【００３６】
装置本体８は、カートリッジ１００を嵌合させる上記カートリッジホルダ部を備えるとともに外郭を構成する筐体９と、カバーフィルム１０３に所定の印字（印刷）を行う印字ヘッド（サーマルヘッド）１０と、カバーフィルム１０３への印字が終了したインクリボン１０５を駆動するリボン巻取りローラ駆動軸１１と、カバーフィルム（被印字テープ）１０３と帯状の基材テープ（タグテープ）１０１とを貼り合わせつつ印字済タグラベル用テープ１１０としてカートリッジ１００から繰り出すためのテープ送りローラ駆動軸１２と、印字済タグラベル用テープ１１０に備えられる無線タグ回路素子Ｔo（詳細は後述）との間でＵＨＦ帯等の高周波を用いて無線通信により信号の授受を行うアンテナ１４と、上記印字済タグラベル用テープ１１０を所定のタイミングで所定の長さに切断しラベル状の無線タグラベルＴ(詳細は後述)を生成するカッタ１５と、上記無線通信による信号授受時において無線タグ回路素子Ｔoをアンテナ１４に対向する所定のアクセスエリアに設定保持するとともに切断後の各無線タグラベルＴを案内するための一対の搬送ガイド１３と、その案内された無線タグラベルＴを搬出口（排出口）１６へと搬送し送出する送出ローラ１７と、搬出口１６における無線タグラベルＴの有無を検出するセンサ１８とを有している。
【００３７】
センサ１８は、例えば投光器及び受光器からなる反射型の光電センサである。投光器と受光器との間に無線タグラベルＴが存在しない場合には、その投光器から出力された光が受光器に入力される。一方、投光器と受光器との間に無線タグラベルＴが存在する場合には、投光器から出力された光が遮蔽されて受光器からの制御出力が反転させられるようになっている。
【００３８】
一方、装置本体８はまた、上記アンテナ１４を介し上記無線タグ回路素子Ｔoへアクセスする（読み取り又は書き込みを行う）ための高周波回路２１と、無線タグ回路素子Ｔoから読み出された信号を処理するための信号処理回路２２と、前述したリボン巻取りローラ駆動軸１１及びテープ送りローラ駆動軸１２を駆動するカートリッジ用モータ２３と、このカートリッジ用モータ２３の駆動を制御するカートリッジ駆動回路２４と、上記印字ヘッド１０への通電を制御する印刷駆動回路２５と、上記カッタ１５を駆動して切断動作を行わせるソレノイド２６と、そのソレノイド２６を制御するソレノイド駆動回路２７と、上記送出ローラ１７を駆動する送出ローラ用モータ２８と、この送出ローラ用モータ２８を制御する送出ローラ駆動回路２９と、上記高周波回路２１、信号処理回路２２、カートリッジ駆動回路２４、印刷駆動回路２５、ソレノイド駆動回路２７、送出ローラ駆動回路２９等を介し、タグラベル作成装置２全体の動作を制御するための制御回路３０とを有する。
【００３９】
制御回路３０は、いわゆるマイクロコンピュータであり、詳細な図示を省略するが、中央演算処理装置であるＣＰＵ、ＲＯＭ、及びＲＡＭ等から構成され、ＲＡＭの一時記憶機能を利用しつつＲＯＭに予め記憶されたプログラムに従って信号処理を行うようになっている。またこの制御回路３０は、入出力インターフェイス３１を介し例えば通信回線３に接続され、この通信回線３に接続された前述のルートサーバ４、他の端末５、汎用コンピュータ６、及び情報サーバ７等との間で情報のやりとりが可能となっている。
【００４０】
図３は、上記タグラベル作成装置２に備えられた本実施形態によるカートリッジ１００の詳細構造を説明するための説明図である。
【００４１】
この図３において、カートリッジ１００は、上記基材テープ１０１が巻回された第１ロール（タグテープロール）１０２と、上記基材テープ１０１と略同じ幅である透明な上記カバーフィルム１０３が巻回された第２ロール１０４と、上記インクリボン１０５（熱転写リボン、但しカバーフィルム１０３が感熱テープの場合は不要）を繰り出すリボン供給側ロール１１１と、印字後のインクリボン１０５を巻き取る上記リボン巻取りローラ１０６と、上記基材テープ１０１とカバーフィルム１０３とを押圧し接着させ上記印字済タグラベル用テープ１１０としつつ矢印Ａで示す方向にテープ送りをする圧着ローラ１０７とを有している。
【００４２】
第１ロール１０２は、リール部材１０２ａの周りに、長手方向に複数の無線タグ回路素子Ｔoが所定の等間隔で順次形成された上記基材テープ１０１を巻回している。
【００４３】
基材テープ１０１はこの例では４層構造となっており（図３中部分拡大図参照）、内側に巻かれる側（図３中右側）よりその反対側（図３中左側）へ向かって、適宜の粘着材からなる粘着層１０１ａ、ＰＥＴ（ポリエチレンテレフタラート）等から成る色付きのベースフィルム１０１ｂ、適宜の粘着材からなる粘着層１０１ｃ、剥離紙１０１ｄの順序で積層され構成されている。
【００４４】
ベースフィルム１０１ｂの裏側（図３中左側）には、情報の送受信を行うアンテナ（アンテナ部）１５２Ａ，１５２Ｂが一体的に設けられており、これに接続するように接続端子１５９Ａ，１５９Ｂを介し情報を記憶するＩＣ回路部１５１が形成され、さらにアンテナ１５２Ａ，１５２Ｂの端部、上記接続端子１５９Ａ，１５９Ｂ、上記ＩＣ回路部１５１を略覆うよう保持部材としての保護フィルム１６０（ＩＣ保護フィルム）が配置されている。これらＩＣ回路部１５１及び保護フィルム１６０によって無線タグＩＣ回路保持体Ｈが構成されている。なお、ＩＣ回路部１５１とアンテナ１５２Ａ，１５２Ｂとによって無線タグ回路素子Ｔoが構成されている。
【００４５】
ベースフィルム１０１ｂの表側（図３中右側）には、後にカバーフィルム１０３を接着するための上記粘着層１０１ａが形成され、またベースフィルム１０１ｂの裏側（図３中左側）には、無線タグ回路素子Ｔoを内包するように設けた上記粘着層１０１ｃによって上記剥離紙１０１ｄがベースフィルム１０１ｂに接着されている。なお、この剥離紙１０１ｄは、最終的にラベル状に完成した無線タグラベルＴが所定の商品等に貼り付けられる際に、これを剥がすことで粘着層１０１ｃにより当該商品等に接着できるようにしたものである。
【００４６】
第２ロール１０４は、リール部材１０４ａの周りに上記カバーフィルム１０３を巻回している。カバーフィルム１０３は、その裏面側（すなわち上記基材テープ１０１と接着される側）に配置されたリボン供給側ロール１１１及びリボン巻取りローラ１０６で駆動されるインクリボン１０５が、上記印字ヘッド１０に押圧されることで当該カバーフィルム１０３の裏面に当接させられるようになっている。
【００４７】
リボン巻取りローラ１０６及び圧着ローラ１０７は、それぞれカートリッジ１００外に設けた例えばパルスモータである上記カートリッジ用モータ２３（前述の図２参照）の駆動力が上記リボン巻取りローラ駆動軸１１及び上記テープ送りローラ駆動軸１２に伝達されることによって回転駆動される。
【００４８】
上記構成のカートリッジ１００において、上記第１ロール１０２より繰り出された基材テープ１０１は、圧着ローラ１０７へと供給される。一方、第２ロール１０４より繰り出されるカバーフィルム１０３は、上述したようにその裏面にインクリボン１０５が当接させられるようになっている。
【００４９】
そして、カートリッジ１００が上記装置本体８のカートリッジホルダ部に装着されロールホルダ（図示せず）が離反位置から当接位置に移動されると、カバーフィルム１０３及びインクリボン１０５が印字ヘッド１０とプラテンローラ１０８との間に狭持されるとともに、基材テープ１０１及びカバーフィルム１０３が圧着ローラ１０７とサブローラ１０９との間に狭持される。そして、カートリッジ用モータ２３の駆動力によってリボン巻取りローラ１０６及び圧着ローラ１０７が矢印Ｂ及び矢印Ｄで示す方向にそれぞれ同期して回転駆動される。このとき、前述のテープ送りローラ駆動軸１２と上記サブローラ１０９及びプラテンローラ１０８はギヤ（図示せず）にて連結されており、テープ送りローラ駆動軸１２の駆動に伴い圧着ローラ１０７、サブローラ１０９、及びプラテンローラ１０８が回転し、第１ロール１０２から４層構造の基材テープ１０１が繰り出され、上述のように圧着ローラ１０７へ供給される。一方、第２ロール１０４からはカバーフィルム１０３が繰り出されるとともに、上記印刷駆動回路２５により印字ヘッド１０の複数の発熱素子が通電される。この結果、カバーフィルム１０３の裏面（＝粘着層１０１ａ側の面）に所定の文字、記号、バーコード等の印字Ｒ（後述の図１０参照）が印刷（但し裏面から印刷するので印刷側から見て鏡面対称の文字等を印刷している）される。そして、上記４層構造の基材テープ１０１と上記印刷が終了したカバーフィルム１０３とが上記圧着ローラ１０７及びサブローラ１０９により接着されて一体化され、印字済タグラベル用テープ１１０として形成され、カートリッジ１００外へと搬出される。なお、カバーフィルム１０３への印字が終了したインクリボン１０５は、リボン巻取りローラ駆動軸１１の駆動によりリボン巻取りローラ１０６に巻取られる。
【００５０】
図４は、上記高周波回路２１の詳細機能を表す機能ブロック図である。この図４において、高周波回路２１は、アンテナ１４を介し無線タグ回路素子Ｔoに対して信号を送信する送信部３２と、アンテナ１４により受信された無線タグ回路素子Ｔoからの反射波を入力する受信部３３と、送受分離器３４とから構成される。
【００５１】
送信部３２は、無線タグ回路素子ＴoのＩＣ回路部１５１の無線タグ情報にアクセスする(読み取り又は書き込みを行う)ための搬送波を発生させる水晶振動子３５、ＰＬＬ（Phase Locked Loop）３６、及びＶＣＯ（Voltage Controlled  Oscillator）３７と、上記信号処理回路２２から供給される信号に基づいて上記発生させられた搬送波を変調（この例では信号処理回路２２からの「ＴＸ＿ＡＳＫ」信号に基づく振幅変調）する送信乗算回路３８（但し振幅変調の場合は増幅率可変アンプ等を用いてもよい）と、その送信乗算回路３８により変調された変調波を増幅する送信アンプ３９とを備えている。そして、上記発生される搬送波は、好適にはＵＨＦ帯の周波数を用いており、上記送信アンプ３９の出力は、送受分離器３４を介してアンテナ１４に伝達されて無線タグ回路素子ＴoのＩＣ回路部１５１に供給される。
【００５２】
受信部３３は、アンテナ１４により受信された無線タグ回路素子Ｔoからの反射波と上記発生させられた搬送波とを掛け合わせる受信第１乗算回路４０と、その受信第１乗算回路４０の出力から必要な帯域の信号のみを取り出すための第１バンドパスフィルタ４１と、この第１バンドパスフィルタ４１の出力を増幅して第１リミッタ４２に供給する受信第１アンプ４３と、上記アンテナ１４により受信された無線タグ回路素子Ｔoからの反射波と上記発生された後に位相が９０°ずらされた搬送波とを掛け合わせる受信第２乗算回路４４と、その受信第２乗算回路４４の出力から必要な帯域の信号のみを取り出すための第２バンドパスフィルタ４５と、この第２バンドパスフィルタ４５の出力を入力するとともに増幅して第２リミッタ４６に供給する受信第２アンプ４７とを備えている。そして、上記第１リミッタ４２から出力される信号「ＲＸＳ−Ｉ」及び第２リミッタ４６から出力される信号「ＲＸＳ−Ｑ」は、上記信号処理回路２２に入力されて処理される。
【００５３】
また、受信第１アンプ４３及び受信第２アンプ４７の出力は、ＲＳＳＩ（Received  Signal  Strength  Indicator)回路４８にも入力され、それらの信号の強度を示す信号「ＲＳＳＩ」が信号処理回路２２に入力されるようになっている。このようにして、本実施形態に係るタグラベル作成装置２では、Ｉ−Ｑ直交復調によって無線タグ回路素子Ｔoからの反射波の復調が行われる。
【００５４】
図５は、上記した第１ロール１０２のより詳細な構造を表す概念的側面図である。前述したように、第１ロール１０２に巻回された基材テープ１０１は、その長手方向に複数の無線タグ回路素子Ｔoが例えば等間隔で順次形成されている。
【００５５】
図６は、上記第１ロール１０１に巻回された基材テープ１０１に備えられた上記無線タグＩＣ回路保持体Ｈ及びその周辺部の詳細構造を表す、図３の部分拡大図中VI−VI′面による矢視断面図である。また図７は、図６中Ａ部を抽出して示す部分拡大上面図であり、図８は、図７中VIII−VIII′断面による側断面図である。
【００５６】
これら図６、図７、及び図８において、上記無線タグＩＣ回路保持体ＨのＩＣ回路部１５１と接続される側に複数の接続端部１５２ａ，１５２ｂをそれぞれ備え情報の送受信を行う２つのアンテナ１５２Ａ，１５２Ｂと、これらアンテナ１５２Ａ，１５２Ｂより大きな剛性を備える上記ＩＣ回路部１５１と、このＩＣ回路部１５１と２つの接続端部１５２ａ，１５２ｂとをそれぞれ接続するために設けられ、アンテナ１５２Ａ，１５２Ｂより大きな剛性を備える上記接続端子１５９Ａ，１５９Ｂと、上記ＩＣ回路部１５１、上記接続端子１５９Ａ，１５９Ｂ、及びアンテナ１５２Ａ，１５２Ｂの上記接続端部１５２ａ，１５２ｂを略覆うように配設された上記無線タグＩＣ回路保持体Ｈの上記保護フィルム１６０とが設けられている。前述したように、アンテナ１５２の接続端部１５２ａ，１５２ｂ、接続端子１５９Ａ，１５９Ｂ、ＩＣ回路部１５１は保護フィルム１６０によってその図８中上側より略覆われている。
【００５７】
保護フィルム１６０は、本実施形態の最大の特徴として、ＩＣ回路部１５１の少なくとも近傍に、保護フィルム１６０の端部よりテープ幅方向(図７中上下方向)にこの例では略Ｖ字状に切り込んだ凹状部２０１が設けられている。この結果として、テープ幅方向における寸法が小さくなった幅狭部２００が形成され、この幅狭部が保護フィルム１６０の屈曲性を高くするための低剛性部として機能する。
【００５８】
図９は、上記無線タグＩＣ回路保持体Ｈの近傍に備えられた無線タグ回路素子Ｔoの機能的構成を表す機能ブロック図である。この図９において、無線タグ回路素子Ｔoは、タグラベル作成装置２側のアンテナ１４とＵＨＦ帯等の高周波を用いて非接触で信号の送受信を行う上記アンテナ１５２と、このアンテナ１５２に接続された上記ＩＣ回路部１５１とを有している。
【００５９】
ＩＣ回路部１５１は、アンテナ１５２により受信された搬送波を整流する整流部１５３と、この整流部１５３により整流された搬送波のエネルギを蓄積し駆動電源とするための電源部１５４と、上記アンテナ１５２により受信された搬送波からクロック信号を抽出して制御部１５５に供給するクロック抽出部１５６と、所定の情報信号を記憶し得る情報記憶手段として機能するメモリ部１５７と、上記アンテナ１５２に接続された変復調部１５８と、上記整流部１５３、クロック抽出部１５６、及び変復調部１５８等を介して上記無線タグ回路素子Ｔoの作動を制御するための上記制御部１５５とを備えている。
【００６０】
変復調部１５８は、アンテナ１５２により受信された上記タグラベル作成装置２のアンテナ１４からの通信信号の復調を行うと共に、上記制御部１５５からの応答信号に基づき、アンテナ１５２より受信された搬送波を変調反射する。
【００６１】
制御部１５５は、上記変復調部１５８により復調された受信信号を解釈し、上記メモリ部１５７において記憶された情報信号に基づいて返信信号を生成し、上記変復調部１５８により返信する制御等の基本的な制御を実行する。
【００６２】
図１０（ａ）及び図１０（ｂ）は、上述のようにして無線タグ回路素子Ｔoの情報読み取り（又は書き込み）及び印字済タグラベル用テープ１１０の切断が完了し形成された無線タグラベルＴの外観の一例を表す図であり、図１０（ａ）は上面図、図１０（ｂ）は下面図である。また図１１は、図１０中XI−XI′断面(前述の図６においてはxi−xi′断面に相当)による横断面図であり、図１２は、図１０中XII−XII′断面(前述の図６においてはxii−xii′断面に相当)による横断面図である。
【００６３】
これら図１０（ａ）、図１０（ｂ）、図１１、及び図１２において、無線タグラベルＴは、図３に示した４層構造にカバーフィルム１０３が加わった５層構造となっており、カバーフィルム１０３側（図１１及び図１２中上側）よりその反対側（図１１及び図１２中下側）へ向かって、カバーフィルム１０３、粘着層１０１ａ、ベースフィルム１０１ｂ、粘着層１０１ｃ、剥離紙１０１ｄで５層を構成している。そして、前述のようにベースフィルム１０１ｂの裏側に設けられたアンテナ１５２を含む無線タグ回路素子Ｔoが粘着層１０１ｃ内に備えられるとともに、カバーフィルム１０３の裏面に印字Ｒ（この例では無線タグラベルＴの種類を示す「ＲＦ−ＩＤ」の文字）が印刷されている。
【００６４】
図１３は、上述したようなタグラベル作成装置２による無線タグ回路素子ＴoのＩＣ回路部１５１の無線タグ情報へのアクセス(読み取り又は書き込み)に際して、上記した端末５又は汎用コンピュータ６に表示される画面の一例を表す図である。
【００６５】
図１３において、この例では、無線タグ回路素子Ｔoに対応して印刷された印字文字Ｒ、その無線タグ回路素子Ｔoに固有のＩＤであるアクセス（読み取り又は書き込み）ＩＤ、上記情報サーバ７に記憶された物品情報のアドレス、及び上記ルートサーバ４におけるそれらの対応情報の格納先アドレス等が前記端末５又は汎用コンピュータ６に表示可能となっている。そして、その端末５又は汎用コンピュータ６の操作によりタグラベル作成装置２が作動されて、カバーフィルム１０３に上記印字文字Ｒが印刷されると共に、ＩＣ回路部１５１に予め記憶された上記読み取りＩＤ及び物品情報等の無線タグ情報が読みとられる（又はＩＣ回路部１５１に上記書き込みＩＤ及び物品情報等の情報が書き込まれる）。
【００６６】
なお、上記においては、印刷動作に伴い搬送ガイド１３を移動中の印字済タグラベル用テープ１１０に対してアクセスエリア内に保持してアクセス（読み取り又は書き込み）するようにした例を示したが、これに限られず、その印字済タグラベル用テープ１１０を所定位置で停止させて搬送ガイド１３にて保持した状態で上記アクセスを行うようにしてもよい。
【００６７】
また、上記のような読み取り又は書き込みの際、生成された無線タグラベルＴのＩＤとその無線タグラベルＴのＩＣ回路部１５１から読みとられた情報（又はＩＣ回路部１５１に書き込まれた情報）との対応関係は、前述のルートサーバ４に記憶され、必要に応じて参照できるようになっている。
【００６８】
上記のように構成した本実施形態のタグラベル作成装置２においては、カートリッジ１００から印刷済みタグラベル用テープ１１０として取り出され搬送ガイド１３によってアンテナ１４に対向する所定位置(アクセスエリア)に設定保持された無線タグ回路素子Ｔoに対し、順次アクセス(ＩＣ回路部１５１の無線タグ情報の読み取り又はＩＣ回路部１５１への書き込み)が行われ、カッタ１５により各無線タグＩＣ回路保持体Ｈごとに切断されて無線タグラベルＴが生成される。生成された無線タグラベルＴは、ユーザによって上記剥離紙１０１ｄが剥がされて粘着層１０１ｃが露出された後、この粘着層１０１ｃを介し対象となる各種物品等に貼り付けられ使用される。
【００６９】
ここで本実施形態のＩＣ回路保持体Ｈでは、ＩＣ回路部１５１を略覆うように保護フィルム１６０を配設している。これにより、ＩＣ回路部１５１を確実に保持し、外部衝撃等より保護することができる。また、この保護フィルム１６０のうち少なくともＩＣ回路部１５１近傍に凹状部２０１を設け低剛性部として機能させる。これにより、アンテナ１５２Ａ，１５２Ｂよりも剛性が大きいＩＣ回路部１５１及び接続端子１５９Ａ，１５９Ｂを含み、全体としても剛性の大きなＩＣ回路部１５１、接続端子１５９Ａ，１５９Ｂ、及び保護フィルム１６０の結合体のうち少なくともＩＣ回路部１５１近傍の剛性を相対的に小さくし、可撓性（屈曲性）を向上できる。この結果、これらを用いて最終的に作成したタグラベルＴ全体の屈曲性(テープ長手方向と直交する方向への曲げ・変形等の容易性)を向上することができる。以上の結果、ＩＣ回路部１５１の保護機能は維持しつつ無線タグラベルＴの高い屈曲性を実現し、ユーザが無線タグラベルＴを貼り付け対象物に貼り付けるときの利便性を向上することができる。
【００７０】
また、上記のように無線タグＩＣ回路保持体Ｈの屈曲性が向上する結果、図５に示したようにカートリッジ１００内の第１ロール１０２において、無線タグＩＣ回路保持体Ｈが基材テープ１０１を巻回する方向に沿って略円弧状になりやすくなるので、多数の無線タグＩＣ回路保持体Ｈを備えた基材テープ１０１を比較的容易に巻回していくことができる。この結果、同一巻数ならば第１ロール１０２全体を小径化し省スペース化によるカートリッジ１００の小型化を図れるとともに各ターン相互間の間隔を小さくすることができ、また同一径であれば巻回するターン数を増加させ数多くの無線タグＩＣ回路保持体Ｈを配置可能である。
【００７１】
さらに、上記のように無線タグＩＣ回路保持体Ｈの屈曲性が向上する結果、図３に示したようにカートリッジ１００内の第１ロール１０２から基材テープ１０１が繰り出されていく際、例えば圧着ローラ１０７の通過時等大きく方向が転向されるときにその搬送経路形状になじみやすい。この結果、走行性を向上できる（走行抵抗を低減できる）効果もある。
【００７２】
なお、本発明は、上記実施形態に限られるものではなく、その趣旨及び技術的思想を逸脱しない範囲内で、種々の変形が可能である。以下、そのような変形例を説明する。
（１）異なる凹状部を設けた場合
図１４（ａ）及び図１４（ｂ）は、この変形例における無線タグＩＣ回路保持体及びその周辺部の詳細構造を表す部分拡大上面図であり、上記実施形態の図７に相当する図である。図７と同等の部分には同一の符号を付し、適宜説明を省略する。
【００７３】
図１４（ａ）では、上記実施形態の略Ｖ字状に切り込んだ凹状部２０１を、テープ長手方向（図中左右方向）に複数個（この例ではテープ幅方向片側２個ずつ）設け、これによって複数箇所（２箇所）の幅狭部２０２を実現している。
【００７４】
図１４（ｂ）では、略Ｖ字状でなく、略Ｕ字状に切り込んだ凹状部２０３を設け、これによって幅狭部２０４を実現している。なおこの例では、保護フィルム１６０の四隅部を（この例では直線的に欠損させた）欠損部２０５を設けており、これによって保護フィルム１６０のテープ長手方向両端部にも幅狭部２０６を実現している。
【００７５】
なお、凹状部２０１，２０３の形状は、上記のように略Ｖ字状や略Ｕ字状には限られず、略長方形状（矩形状）、スリット状等でもよい。また欠損部２０５についても、上記のような直線的な切り落とし形状でなく、多角形形状、曲線形状（Ｒ形状）、段付き形状等でも良い。また、設置数もＩＣ回路部１５１近傍に少なくとも１つあれば、これを含み複数設けても、多数設けても良い。さらに凹状部の切り込み深さも、すべてを同一とせず、種々のものを組み合わせても良い。さらに、以上の凹状部をＩＣ回路部１５１近傍だけでなく、他の部分にも（ほぼ全周にわたっても良い）設けてもよく、要は少なくともＩＣ回路部１５１付近に設けられていれば足りる。
【００７６】
以上の変形例においても、上記実施形態と同様の効果を得る。
（２）貫通孔を設けた場合
図１５（ａ）及び図１５（ｂ）は、この変形例における無線タグＩＣ回路保持体及びその周辺部の詳細構造を表す部分拡大上面図であり、上記実施形態の図７に相当する図である。図７と同等の部分には同一の符号を付し、適宜説明を省略する。
【００７７】
図１５（ａ）では、上記実施形態や上記（２）の変形例の凹状部２０１〜２０３に代え、保護フィルム１６０を厚さ方向に貫通する貫通孔２１０を複数個（この例ではテープ幅方向片側１個ずつ）設け、これによってこの周囲の剛性を相対的に低下させ、低剛性部として機能させている。
【００７８】
図１５（ｂ）では、上記貫通孔２１０よりも小径の貫通孔２１１をＩＣ回路部１５１近傍を中心に多数個設け、これによってこの周囲の剛性を相対的に低下させ、低剛性部として機能させている。
【００７９】
なお、貫通孔２１０，２１１の形状は、上記のように○形状とは限られず、略長方形状（矩形状）、三角形、多角形状等でもよい。また、設置数もＩＣ回路部１５１近傍に少なくとも１つあれば、これを含み複数設けても、多数設けても良い。さらに孔径も、すべてを同一とせず、種々のものを組み合わせても良い。さらに、以上の貫通孔をＩＣ回路部１５１近傍だけでなく、他の部分にも（ほぼ全域にわたっても良い）設けてもよく、要は少なくともＩＣ回路部１５１付近に設けられていれば足りる。
【００８０】
以上の変形例においても、上記実施形態と同様の効果を得る。
（３）くさび型状にした場合
図１６は、この変形例における無線タグＩＣ回路保持体及びその周辺部の詳細構造を表す部分拡大上面図であり、上記実施形態の図７に相当する図である。図７と同等の部分には同一の符号を付し、適宜説明を省略する。
【００８１】
図１６では、保護フィルム１６０の幅方向寸法Ｗが、テープ長手方向（図中左右方向）に沿って連続的に小さくなっている（いわゆる略くさび形形状、あるいは略菱形形状）。これによって、この変形例の保護フィルム１６０のテープ長手方向中間部以外の部分が、その中間部における幅方向寸法（＝この保護フィルム１６０における最大寸法）Ｗoよりも狭い幅方向寸法Ｗを備えるようになっている（＝幅狭部）。
【００８２】
なお、上記構造は、ＩＣ回路部１５１の近傍について、Ｗoよりは幅方向寸法が小さくなる限りにおいて、幅方向寸法がＷoの部分よりは相対的に剛性が小さくなっているが、ＩＣ回路部１５１より（テープ長手方向両端部へ向かって）離れるほどさらに幅方向寸法Ｗが小さくなって、剛性が小さくなっている。ＩＣ回路部１５１近傍の剛性を小さくするという主眼にたてば、図１６に示した構造とは逆に、例えば長手方向両端部の幅方向寸法をＷoとし、中間部を最も幅方向寸法を小さくなるように、連続的に幅方向寸法を小さくしても良い（双頭型略くさび形状）。また、連続的に幅方向寸法を変化させるときも、上記のように直線的な形状（テーパ形状）により変化させるのではなく、曲線形状により変化させても良い。
【００８３】
以上の変形例においても、上記実施形態と同様の効果を得る。
（４）テープ幅方向に配置した保持体にスリットを設けた場合
図１７は、この変形例における基材テープに備えられた無線タグＩＣ回路保持体及びその周辺部の詳細構造を表す側断面図であり、上記実施形態の図６に相当する図である。図６と同等の部分には同一の符号を付し、適宜説明を省略する。
【００８４】
図１７において、この変形例では、接続端部１５２ａ，１５２ｂをそれぞれ備えたアンテナ１５２Ａ，１５２Ｂがテープ長手方向（図中上下方向）に配置されるとともに、それら接続端部１５２ａ，１５２ｂをそれぞれ接続するためにテープ長手方向（＝アンテナ１５２Ａ，１５２Ｂ長手方向と）略直交する方向（＝テープ幅方向、図中左右方向）に上記接続端子１５９Ａ，１５９Ｂが配列されている。これに対応して、ＩＣ回路部１５１、接続端子１５９Ａ，１５９Ｂ、及びアンテナ１５２Ａ，１５２Ｂの接続端部１５２ａ，１５２ｂを略覆うように配設される上記保護フィルム１６０も、その長手方向がテープ幅方向となるように配置されている。
【００８５】
そして、この変形例では、上記保護フィルム１６０のテープ幅方向両端部（但しテープ長手方向位置はＩＣ回路部１５１のテープ長手方向位置近傍となっている）に、略矩形状に切り込んだ凹状部２３０を設け、これによって幅狭部２３１を実現している。
【００８６】
なお、凹状部２３０の形状は、上記のように略矩形状に限られず、略Ｖ字状や略Ｕ字状、スリット状等でもよい。また、設置数もＩＣ回路部１５１近傍に少なくとも１つあれば、これを含み複数設けても、多数設けても良い。さらに凹状部２３０の切り込み深さも、すべてを同一とせず、種々のものを組み合わせても良い。さらに、凹状部２３０をＩＣ回路部１５１近傍だけでなく、他の部分にも設けてもよく、要は少なくともＩＣ回路部１５１付近に設けられていれば足りる。
【００８７】
なお、前述の図１４（ｂ）に示したのと同様の考え方で、保護フィルム１６０のテープ幅方向（図中左右方向）両端における端部（図中右上、右下、左上、左下端部）を直線的に欠損させて欠損部としてもよい。この欠損部についても、直線的な切り落とし形状でなく、多角形形状、曲線形状（Ｒ形状）、段付き形状等でも良い。
【００８８】
以上の変形例においても、上記実施形態と同様の効果を得る。
（５）厚さ方向に寸法を低減した部分（薄肉部）を設けた場合
図１８（ａ）及び図１８（ｂ）は、この変形例における基材テープに備えられた無線タグＩＣ回路保持体及びその周辺部の詳細構造を表す側断面図であり、上記実施形態の図８に相当する図である。図８と同等の部分には同一の符号を付し、適宜説明を省略する。
【００８９】
図１８（ａ）では、保護フィルム１６０のＩＣ回路部１５１の少なくとも近傍に、保護フィルム１６０の図中上面よりテープ厚み方向(図中上下方向)にこの例では略Ｖ字状に切り込んだ凹状部２２０がテープ長手方向（図中左右方向）２箇所に設けられている。この結果として、テープ厚さ方向における寸法が小さくなった薄肉部２２１が形成され、この薄肉部２２１が保護フィルム１６０の屈曲性を高くするための低剛性部として機能する。
【００９０】
図１８（ｂ）では、略Ｖ字状でなく、厚さ方向に略スリット状に切り込んだ多数の凹状部２２２を設け、これによって薄肉部２２３を実現している。
【００９１】
なお、凹状部２２０，２２２の形状は、上記のように略Ｖ字状や略スリット状には限られず、略Ｕ字状、略長方形状（矩形状）等でもよい。また、設置数もＩＣ回路部１５１近傍に少なくとも１つあれば、これを含み複数設けても、多数設けても良い。さらに凹状部の切り込み深さも、すべてを同一とせず、種々のものを組み合わせても良い。さらに、以上の凹状部をＩＣ回路部１５１近傍だけでなく、他の部分にも（テープ長手方向ほぼ全域にわたっても良い）設けてもよく、要は少なくともＩＣ回路部１５１付近に設けられていれば足りる。またそれら切り込まれた凹状部のテープ幅方向長さは、テープ幅方向の保護フィルム１６０の全長にわたって設けても良いし、その一部（例えばＩＣ回路部の配置位置に対応するような幅方向中央部のみ）に設けても良い。
【００９２】
なお、前述の図１４（ｂ）に示したのと同様の考え方で、保護フィルム１６０のテープ長手方向両端における端部（図中右上、右下、左上、左下端部）を直線的に欠損させて欠損部としてもよい。この欠損部についても、直線的な切り落とし形状でなく、多角形形状、曲線形状（Ｒ形状）、段付き形状等でも良い。
【００９３】
以上の変形例においても、上記実施形態と同様の効果を得る。
【００９４】
なお、以上においては、図８に示したように、粘着層１０１ｃ内に設けた無線タグＩＣ回路保持体Ｈにおいて、接続端子１５９Ａ，１５９Ｂの一方側（図８では上方側）のみを保護フィルム１６０で略覆った構造に本発明を適用し、これによって最終的に図１１及び図１２に示した構造の無線タグラベルＴを生成した場合を例にとって説明したが、これに限られない。すなわち、例えば図１２に対応する図１９に示すように、接続端子１５９Ａ，１５９Ｂの他方側（図１９中上側、言いかえれば接続端子１５９Ａとアンテナ１５２Ａとの間）も別の保護フィルム１６０′で略覆った構造に本発明の上記低剛性部を適用し（保護フィルム１６０及び１６０′の少なくとも一方に低剛性部を設ける）、これを用いて屈曲性の向上した無線タグラベルＴを生成しても良い。この場合も、上記と同様の効果を得る。
【００９５】
また、以上において、カートリッジ１００のような無線タグ情報通信装置本体側に着脱可能なものに限られず、装置本体側に着脱不能のいわゆる据え付け型あるいは一体型のものを用い、その中に上記第１ロール１０２を設けてもよい。この場合も同様の効果を得る。
【００９６】
さらに、以上においては、タグラベル作成装置２は、無線タグ回路素子ＴoのＩＣ回路部１５１から無線タグ情報の読み取り又は書き込みを行うと共に、サーマルヘッド１０によってその無線タグ回路素子Ｔoを識別するための印刷（印字）を行うものであったが、この印刷は必ずしも行われなくともよく、無線タグ情報の読み取り又は書き込みのみを行うものであっても構わない。
【００９７】
なお、以上で用いた「Scroll All ID」信号、「Erase」信号、「Verify」信号、「Program」信号とは、ＥＰＣ  ｇｌｏｂａｌが策定したＡｕｔｏ−ＩＤ仕様に準拠しているものとする。ＥＰＣ  ｇｌｏｂａｌは、流通コードの国際機関である国際ＥＡＮ協会と、米国の流通コード機関であるＵｎｉｆｏｒｍｅｄ  Ｃｏｄｅ  Ｃｏｕｎｃｉｌ（ＵＣＣ）が共同で設立した非営利法人である。なお、他の規格に準拠した信号でも、同様の機能を果たすものであればよい。
【００９８】
その他、一々例示はしないが、本発明は、その趣旨を逸脱しない範囲内において、種々の変更が加えられて実施されるものである。
【図面の簡単な説明】
【００９９】
【図１】本発明の一実施形態の無線タグＩＣ回路保持体及びタグラベル作成装置用カートリッジを備えるタグラベル作成装置が適用される無線タグ生成システムを表すシステム構成図である。
【図２】図１に示したタグラベル作成装置の詳細構造を表す概念的構成図である。
【図３】図１に示したタグラベル作成装置に備えられた本発明の一実施形態によるカートリッジの詳細構造を説明するための説明図である。
【図４】図２に示した高周波回路の詳細機能を表す機能ブロック図である。
【図５】図３に示した第１ロールのより詳細な構造を表す概念的側面図である。
【図６】無線タグＩＣ回路保持体及びその周辺部の詳細構造を表す、図３の部分拡大図中VI−VI′面による矢視断面図である。
【図７】図６中Ａ部を抽出して示す部分拡大上面図である。
【図８】図７中VIII−VIII′断面による側断面図である。
【図９】無線タグ回路素子の機能的構成を表す機能ブロック図である。
【図１０】無線タグラベルの外観の一例を表す上面図及び下面図である。
【図１１】図１０中XI−XI′断面による横断面図である。
【図１２】図１０中XII−XII′断面による横断面図である。
【図１３】無線タグ回路素子のＩＣ回路部の無線タグ情報へのアクセスに際して、端末又は汎用コンピュータに表示される画面の一例を表す図である。
【図１４】異なる凹状部を設けた変形例における無線タグＩＣ回路保持体及びその周辺部の詳細構造を表す部分拡大上面図である。
【図１５】貫通孔を設けた変形例における無線タグＩＣ回路保持体及びその周辺部の詳細構造を表す部分拡大上面図である。
【図１６】無線タグＩＣ回路保持体をくさび型状にした変形例における無線タグＩＣ回路保持体及びその周辺部の詳細構造を表す部分拡大上面図である。
【図１７】テープ幅方向に配置した保持体にスリットを設けた変形例における基材テープに備えられた無線タグＩＣ回路保持体及びその周辺部の詳細構造を表す側断面図である。
【図１８】厚さ方向に寸法を低減した部分を設けた変形例における基材テープに備えられた無線タグＩＣ回路保持体及びその周辺部の詳細構造を表す側断面図である。
【図１９】接続端子の反対側を別の保護フィルムで覆った構造に本発明を適用した変形例を表す横断面図である。
【符号の説明】
【０１００】
２          タグラベル作成装置
１００      カートリッジ
１０１      基材テープ（タグテープ）
１０２      第１ロール（タグテープロール）
１１０      印字済みタグラベル用テープ
１５１      ＩＣ回路部
１５２Ａ    アンテナ
１５２ａ    接続端部
１５２Ｂ    アンテナ
１５２ｂ    接続端部
１５９Ａ    接続端子
１５９Ｂ    接続端子
１６０      保護フィルム（保持部材）
１６０′    保護フィルム（保持部材）
２００      幅狭部（低剛性部）
２０１      凹状部
２０２      幅狭部（低剛性部）
２０３      凹状部
２０４      幅狭部（低剛性部）
２１０      貫通孔
２１１      貫通孔
２２０      凹状部
２２１      薄肉部（低剛性部）
２２２      凹状部
２２３      薄肉部（低剛性部）
２３０      凹状部
２３１      幅狭部（低剛性部）
Ｈ          無線タグＩＣ回路保持体
Ｔ          無線タグラベル
Ｗ          保持部材の幅方向寸法
【図１】
2005338994.tif 000003
【図２】
2005338994.tif 000004
【図３】
2005338994.tif 000005
【図４】
2005338994.tif 000006
【図５】
2005338994.tif 000007
【図６】
2005338994.tif 000008
【図７】
2005338994.tif 000009
【図８】
2005338994.tif 000010
【図９】
2005338994.tif 000011
【図１０】
2005338994.tif 000012
【図１１】
2005338994.tif 000013
【図１２】
2005338994.tif 000014
【図１３】
2005338994.tif 000015
【図１４】
2005338994.tif 000016
【図１５】
2005338994.tif 000017
【図１６】
2005338994.tif 000018
【図１７】
2005338994.tif 000019
【図１８】
2005338994.tif 000020
【図１９】
2005338994.tif 000021